【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
表示される順列が予め定められている複数種類の識別情報の可変表示を行ない、表示結果を導出表示可能な複数の表示領域を備えた可変表示装置を有し、該可変表示装置の表示結果が予め定められた特定の識別情報の組合せとなったときに遊技者にとって有利な特定遊技状態に制御可能となる遊技機であって、
前記可変表示装置の表示結果を前記特定の識別情報の組合せにするか否かを決定する表示結果決定手段と、
該表示結果決定手段により前記特定の識別情報の組合せにしないことが決定されたときに、前記識別情報の可変表示態様をリーチ態様とするか否かを決定するリーチ決定手段と、
前記可変表示装置の表示結果となる識別情報を選択する識別情報選択手段と、
前記リーチ決定手段によりリーチ態様とする旨の決定がされたときに前記識別情報選択手段が識別情報を選択するために用いられ、リーチ態様を形成するリーチ形成識別情報との組合せにおいて前記特定の識別情報の組合せを形成しないリーチ外れ識別情報と前記リーチ形成識別情報との間での順列上の差を示す複数種類の差数データを記憶したデータテーブルと、
該データテーブルに記憶された複数種類の差数データのうちよりいずれの差数データを用いるかを選択するために用いられる数値データを所定の更新タイミングで更新する数値データ更新手段とを含み、
前記識別情報選択手段は、
前記リーチ決定手段によりリーチ態様とする旨の決定がされた場合に、前記リーチ形成識別情報を選択するリーチ形成識別情報選択手段と、
前記データテーブルおよび前記数値データを用いて選択された差数データに基づいて、前記リーチ形成識別情報選択手段により選択されたリーチ形成識別情報との順列上の差に対応する識別情報を、前記リーチ外れ識別情報として選択するリーチ外れ識別情報選択手段とを含み、
前記データテーブルに記憶された複数種類の差数データには、該差数データを選択する前記数値データの個数が複数種類設定されていることを特徴とする、遊技機。
【請求項２】
前記識別情報の可変表示態様をリーチ態様とするか否かの決定のために用いられる数値データを更新するリーチ決定用データ更新手段をさらに含み、
前記リーチ決定手段は、前記リーチ決定用データ更新手段により更新される数値データに基づいて、前記識別情報の可変表示態様をリーチ態様とするか否かを決定することを特徴とする、請求項１に記載の遊技機。
【請求項３】
前記複数種類の識別情報は、それぞれに付与された識別情報特定データにより特定可能であり、
前記リーチ形成識別情報選択手段は、リーチ形成識別情報を特定可能な識別情報特定データを選択し、
前記リーチ外れ識別情報選択手段は、前記リーチ形成識別情報選択手段により選択された前記識別情報特定データと、前記差数データとを用いて所定の演算を行なうことにより前記リーチ外れ識別情報の識別情報特定データを算出することを特徴とする、請求項１または２に記載の遊技機。
【請求項４】
前記リーチ形成識別情報選択手段および前記リーチ外れ識別情報選択手段は、前記リーチ決定手段によりリーチ態様とする決定が行なわれた場合にのみ識別情報の選択を実行することを特徴とする、請求項１から３のいずれかに記載の遊技機。
【請求項５】
前記数値データ更新手段により更新される数値データは、前記リーチ決定手段によりリーチ態様とする旨の決定がされた場合と、前記リーチ決定手段によりリーチ態様とする旨の決定がされなかった場合とのどちらの場合も表示結果となる識別情報の決定のために用いられることを特徴とする、請求項１から４のいずれかに記載の遊技機。
【請求項６】
前記リーチ形成識別情報を選択するために用いられる数値データを更新するリーチ形成識別情報選択用データ更新手段をさらに含み、
前記リーチ形成識別情報選択手段は、前記リーチ形成識別情報選択用データ更新手段により更新される数値データに基づいて、前記リーチ形成識別情報を選択することを特徴とする、請求項１から５のいずれかに記載の遊技機。
【請求項７】
前記可変表示装置での可変表示の可変表示パターンを決定するために用いられる数値データを更新する可変表示パターン決定用データ更新手段と、
前記可変表示パターンを決定する可変表示パターン決定手段とをさらに含み、
前記可変表示パターン決定手段は、少なくとも前記可変表示パターン決定用データ更新手段により更新される数値データと、前記リーチ形成識別情報選択用データ更新手段により更新される数値データと、前記数値データ更新手段により更新される数値データとに基づいて、前記可変表示パターンを決定することを特徴とする、請求項６に記載の遊技機。
【手続補正２】
【補正対象書類名】明細書
【補正対象項目名】０００３
【補正方法】変更
【補正の内容】
【０００３】
このような従来の遊技機においては、可変表示での表示結果となる識別情報の組合せを任意の確率で導出表示するために、表示結果として表示され得る識別情報の組合せのすべてについて、識別情報の組合せを特定するデータを、各識別情報の組合せの出現確率を示すデータとともに予め記憶しておき、可変表示が行なわれる際に、記憶したすべての表示結果の中から予定停止図柄を選択決定していた。
【手続補正３】
【補正対象書類名】明細書
【補正対象項目名】０００４
【補正方法】変更
【補正の内容】
【０００４】
しかし、従来の場合のように、すべての表示結果の識別情報の組合せのデータを予め記憶しておき、可変表示の実行の際にそのうちから表示結果となる識別情報の組合せを示すデータを選択するようにしていたのでは、予め記憶しておかなければならないデータ量が増大化するという問題があった。
【手続補正４】
【補正対象書類名】明細書
【補正対象項目名】０００６
【補正方法】変更
【補正の内容】
【０００６】
（１）  表示される順列が予め定められている（図５、図１３）複数種類の識別情報（図柄等）の可変表示（可変表示、更新表示、変動表示）を行ない、表示結果を導出表示可能な複数の表示領域（左，中，右図柄の表示領域９１，９２，９３）を備えた可変表示装置（特別図柄表示部９を含む可変表示装置８）を有し、該可変表示装置の表示結果が予め定められた特定の識別情報の組合せ（大当り図柄の組合せ）となったときに遊技者にとって有利な特定遊技状態（大当り制御状態、電動役物の開放、有価価値の付与（たとえばコインの払出）等）に制御可能となる遊技機（パチンコ遊技機１）であって、
前記可変表示装置の表示結果を前記特定の識別情報の組合せにするか否かを決定する表示結果決定手段（図１０、Ｓ６５）と、
該表示結果決定手段により前記特定の識別情報の組合せにしないことが決定されたときに（図１０、Ｓ６５ではずれと判定されたときに）、前記識別情報の可変表示態様をリーチ態様とするか否かを決定するリーチ決定手段（図１０、Ｓ６８）と、
前記可変表示装置の表示結果となる識別情報を選択する識別情報選択手段（図１０、Ｓ６６，Ｓ７５〜Ｓ７７，Ｓ６９〜Ｓ７１）と、
前記リーチ決定手段によりリーチ態様とする旨の決定がされたときに（図１０、Ｓ６８でリーチと判定されたときに）前記識別情報選択手段が識別情報を選択するために用いられ、リーチ態様を形成するリーチ形成識別情報（左，右よりなるリーチ図柄）との組合せにおいて前記特定の識別情報の組合せを形成しないリーチ外れ識別情報（中図柄）と前記リーチ形成識別情報との間での順列上の差を示す複数種類の差数データ（図柄差）を記憶したデータテーブル（図６）と、
該データテーブルに記憶された複数種類の差数データのうちよりいずれの差数データを用いるかを選択するために用いられる数値データを所定の更新タイミング（０．００２秒毎、割込み処理余り時間毎等）で更新する数値データ更新手段（図柄差決定用ランダムカウンタＲ８）とを含み、
前記識別情報選択手段は、
前記リーチ決定手段によりリーチ態様とする旨の決定がされた場合に、前記リーチ形成識別情報（左，右図柄よりなるリーチ図柄）を選択するリーチ形成識別情報選択手段（図１０、Ｓ７５）と、
前記データテーブルおよび前記数値データを用いて選択された差数データに基づいて、前記リーチ形成識別情報選択手段により選択されたリーチ形成識別情報との順列上の差に対応する識別情報を、前記リーチ外れ識別情報として選択するリーチ外れ識別情報選択手段（図１０、Ｓ７６,Ｓ７７）とを含み、
前記データテーブルに記憶された複数種類の差数データには、該差数データを選択する前記数値データの個数が複数種類（図６、１個〜３個の３種類）設定されている。
【手続補正５】
【補正対象書類名】明細書
【補正対象項目名】０００７
【補正方法】変更
【補正の内容】
【０００７】
このような構成によれば、所定の更新タイミングで更新される数値データが、データテーブルに記憶された複数種類の差数データのうちよりいずれの差数データを用いるかを選択するために用いられるため、数値データと選択される差数データとの関係付けにしたがって、リーチ態様とする旨の決定が行なわれた場合の表示結果となる識別情報の組合せのうちのリーチ外れ識別情報の選択確率を任意に設定することができる。これにより、リーチ態様となる可変表示の際の表示結果となる識別情報の組合せを任意の確率で導出表示する制御を行なうことができる。そして、リーチ形成識別情報の選択とは別に、リーチ外れ識別情報が選択されるため、識別情報の表示結果のすべての組合せについてまでデータを用意する必要がなくなり、その結果、可変表示の際の表示結果となる識別情報の組合せを任意の確率で導出表示する制御を行なうために必要となる記憶データ量を低減することができる。また、データテーブルに記憶されている複数種類の差数データが、リーチ形成識別情報との組合せにおいてリーチ外れ識別情報とリーチ形成識別情報との間での順列上の差を示すデータであるので、リーチ外れ識別情報のリーチ形成識別情報に対する関連性をデータ上で容易に設定することができる。しかも、データテーブルに記憶された複数種類の差数データには、該差数データを選択する数値データの個数が複数種類設定されているので、差数データの選択確率を容易に不均等なものにすることができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
（３）  前記複数種類の識別情報は、それぞれに付与された識別情報特定データ（図柄ポジション番号）により特定可能であり（図５、図１３）、
前記リーチ形成識別情報選択手段は、リーチ形成識別情報を特定可能な識別情報特定データ（左，右のリーチ図柄の図柄ポジション番号）を選択し（図５、図１３）、
前記リーチ外れ識別情報選択手段は、前記リーチ形成識別情報選択手段により選択された前記識別情報特定データと、前記差数データとを用いて所定の演算（加算）を行なうことにより前記リーチ外れ識別情報の識別情報特定データを算出する（図１０、Ｓ７７）。
【手続補正９】
【補正対象書類名】明細書
【補正対象項目名】００１３
【補正方法】変更
【補正の内容】
【００１３】
このような構成によれば、表示結果となる識別情報の組合せのうちのリーチ外れ識別情報の選択が、選択されたリーチ形成識別情報を特定する識別情報特定データと差数データとを用いて所定の演算を行なうことにより算出された識別情報特定データに基づいて行なわれるので、演算という比較的簡素な処理を用いて識別情報特定データが得られるため、リーチ外れ識別情報の選択のための処理を容易に行なうことができる。
【手続補正１０】
【補正対象書類名】明細書
【補正対象項目名】００１４
【補正方法】変更
【補正の内容】
【００１４】
（４）  前記リーチ形成識別情報選択手段および前記リーチ外れ識別情報選択手段は、前記リーチ決定手段によりリーチ態様とする決定が行なわれた場合にのみ識別情報の選択を実行する（図１０、Ｓ６８〜Ｓ７８）。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
（５）  前記数値データ更新手段により更新される数値データは、前記リーチ決定手段によりリーチ態様とする旨の決定がされた場合（図６）と、前記リーチ決定手段によりリーチ態様とする旨の決定がされなかった場合（図１２）とのどちらの場合も表示結果となる識別情報の決定のために用いられる（第２実施形態）。
【手続補正１４】
【補正対象書類名】明細書
【補正対象項目名】００２０
【補正方法】変更
【補正の内容】
【００２０】
（６）  前記リーチ形成識別情報を選択するために用いられる数値データを更新するリーチ形成識別情報選択用データ更新手段（ランダムカウンタＲ７）を含み、
前記リーチ形成識別情報選択手段は、前記リーチ形成識別情報選択用データ更新手段により更新される数値データに基づいて、前記リーチ形成識別情報を選択する（図１０、Ｓ７５）。
【手続補正１５】
【補正対象書類名】明細書
【補正対象項目名】００２２
【補正方法】変更
【補正の内容】
【００２２】
（７）  前記可変表示装置での可変表示の可変表示パターン（変動パターン）を決定するために用いられる数値データを更新する可変表示パターン決定用データ更新手段（ランダムカウンタＲ４）と、
前記可変表示パターンを決定する可変表示パターン決定手段（図１０、Ｓ６７，Ｓ７８，Ｓ７３，Ｓ７４）とをさらに含み、
前記可変表示パターン決定手段は、少なくとも前記可変表示パターン決定用データ更新手段により更新される数値データ（Ｒ４の値）と、前記リーチ形成識別情報選択用データ更新手段により更新される数値データ（Ｒ７の値）と、前記数値データ更新手段により更新される数値データ（Ｒ８の値）とに基づいて、前記可変表示パターンを決定する（図１０、Ｓ７８）。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】